(57)【要約】      （修正有）【課題】ボールを打つ際にフェイスが地面に引っかかるのを予防できる石材製のゴルフのパターヘッドを提供する。【解決手段】パターヘッド１は石材製であり、より具体的には御影石を用いている。パターヘッド１は、ボール打面となるフェイス１１と、地面と接触するソール１２と、ソール１２の反対側に位置するトップ１３と、トップ１３に隣接するとともにフェイス１１の反対側に位置するキャビティ１４とを備える。キャビティ１４は厚さ方向Ｚにおいて、ソール１２の中心近傍が他の部分よりも突出する頂部１５を備える。フェイス１１とソール１２とのなす角度θは鋭角である。【選択図】図２
0003204304.tif 000002
【実用新案登録請求の範囲】
【請求項１】
石材製のゴルフのパターヘッドであって、
ボール打面となるフェイスと、地面と接触するソールと、前記ソールの反対側に位置するトップと、を備え、
前記ソールは、その中心近傍が他の部分よりも突出する頂部を有するとともに、前記フェイスと前記ソールとのなす角度が鋭角であることを特徴とする石材製のゴルフのパターヘッド。
【考案の詳細な説明】
【技術分野】
【０００１】
この考案は、ゴルフのパターヘッドに関し、より詳細には、快適な打感を得ることができるゴルフのパターヘッドに関する。
【背景技術】
【０００２】
従来、ゴルフのパターヘッドに関し、金属素材を用いるのが一般的であった。しかし金属素材のパターヘッドは、打感が硬く、ボルフボールに当たった瞬間に手に振動が伝わり、しびれるような感覚を伴うこともある。そこで、石材を用いたパターヘッドが知られる。金属素材のパターヘッドに比べて石材のパターヘッドは、その硬度が小さく、柔らかい打感を実現することができる。
【先行技術文献】
【特許文献】
【０００３】
【特許文献１】実用新案登録第３１２８３２８号公報
【考案の概要】
【考案が解決しようとする課題】
【０００４】
しかしながら、上記のようなゴルフのパターヘッドは、その形状が必ずしもパターに適しているものではなかった。
【０００５】
この考案では、パターに適した石材製のゴルフのパターヘッドを提供することを課題とする。
【課題を解決するための手段】
【０００６】
この考案のゴルフのパターヘッドは、石材製のゴルフのパターヘッドであって、ボール打面となるフェイスと、地面と接触するソールと、前記ソールの反対側に位置するトップと、を備え、前記ソールは、その中心近傍が他の部分よりも突出する頂部を有するとともに、前記フェイスと前記ソールとのなす角度が鋭角であることを特徴とする石材製のゴルフのパターヘッド。
【考案の効果】
【０００７】
この考案のゴルフのパターヘッドによれば、ソールの中心近傍が他の部分よりも突出する形状となっているので、ボールを打つ際にフェイスが地面に引っかかってしまうのを予防することができ、パターに適したパターヘッドを提供することができる。また、石材製のパターヘッドにすることによって、柔らかい打感を得ることができる。
【図面の簡単な説明】
【０００８】
【図１】この考案に係るゴルフのパターヘッドの一実施形態を示す斜視図。
【図２】図１のＩＩ−ＩＩ線断面図。
【図３】図１のＩＩＩ−ＩＩＩ線断面図。
【考案を実施するための形態】
【０００９】
図１〜図３は、この考案のゴルフのパターヘッド１の一実施形態を示すものである。パターヘッド１は石材製であり、より具体的には御影石を用いている。石材製のパターヘッド１は、ひと塊の石材を切削および研磨することによりパターヘッド１の形状に成形する。すなわち、継ぎ目等がない一体的なパターヘッドとすることができる。仮に継ぎ目等がある場合には、その部分から亀裂が生じやすくなるが、これを回避することができる。
【００１０】
パターヘッド１は、ボール打面となるフェイス１１と、地面と接触するソール１２と、ソール１２の反対側に位置するトップ１３と、トップ１３に隣接するとともにフェイス１１の反対側に位置するキャビティ１４とを備える。また、パターヘッド１は、フェイス１１に沿って延びる縦方向Ｙと、縦方向Ｙに直交する横方向Ｘと、これら縦方向Ｙおよび横方向Ｘに互いに直交する厚さ方向Ｚとを有する。このようなパターヘッド１のトップ１３にシャフトを連結し、ゴルフパターとして用いる。
【００１１】
パターヘッド１は図１上方から見た平面図において、略半円形を有する。すなわち、フェイス１１が平面を有し、主にキャビティ１４の輪郭が曲線を描く。特に図２および図３を参照すれば、キャビティ１４は厚さ方向Ｚにおいてその寸法が均一ではなく、ソール１２の中心近傍が他の部分よりも突出する頂部１５を有する。すなわちソール１２は平面ではなく、湾曲し、頂部１５は、フェイス１１よりも横方向Ｘ内側であって（図２参照）、かつ縦方向Ｙにおける略中央に位置する（図３参照）。特に図２を参照すれば、パターヘッド１は、フェイス１１とソール１２とのなす角度θは鋭角である。
【００１２】
ソール１２に頂部１５を備え、かつフェイス１１とソール１２とのなす角度θを鋭角とすることによって、ボールを打つ際には、ソール１２の頂部１５が最も地面に接触しやすくすることができる。すなわち、特にフェイス１１とソール１２との角が地面に接触するのを予防することができ、フェイス１１の所望の部分でボールをとらえることができる。
【００１３】
パターヘッド１のトップ１３の厚さ方向Ｚの寸法は、隣接するキャビティ１４の厚さ方向Ｚの寸法よりも大きくなるようにしている。このようにトップ１３を厚くすることによって、シャフト２の挿入穴を形成したときであっても、その強度を維持することができるようにしている。また、キャビティ１４をトップ１３の厚さ方向Ｚにおける寸法よりも小さくすることによって、トップ１３側に重心を偏心させ、パターヘッド１のフェイス１１側への前進方向への移動をスムースにしている。なお、キャビティ１４の厚さ方向における寸法は、トップ１３の厚さ方向における寸法に対して任意に設定することができ、また、これらの寸法が等しいものであってもよい。
【００１４】
キャビティ１４の縦方向Ｙ中央には、横方向Ｘに延びるフランジライン１６を設けている。フランジライン１６は、パターヘッド１でボールを打つ際の目印となる線である。この実施形態においてフランジライン１６はキャビティ１４を切削するとともに、切削した部分に着色することによって形成している。しかし、これに限定されるものではなく、切削しただけのものや、着色しただけのものであってもよい。
【００１５】
このような石材製のパターヘッド１によれば、金属製のパターヘッドに比べて柔らかい打感を得ることができ、特にボールを打った瞬間に手に伝わる振動を軽減することができる。さらに、パターヘッド１全体を石材で形成しているので、より一層石材の特性を感じることができるパターヘッド１を得ることができる。さらに継ぎ目等のないパターヘッド１とすることによって、強度を確保することができる。
【００１６】
この実施形態において、パターヘッド１のキャビティ１４は、略半円形となるようにしているが、これに限定されるものではない。曲線を描くものであってもよいし、直線的なものであってもよい。すなわち、フェイス１１とキャビティ１４によって形成される形状は、任意に変更可能である。
【符号の説明】
【００１７】
１    パターヘッド
１１    フェイス
１２    ソール
１３    トップ
１５    頂部
【図１】
0003204304.tif 000003
【図２】
0003204304.tif 000004
【図３】
0003204304.tif 000005